【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
交換式のレンズを装着可能で、装着された前記レンズに非接触により電力を供給する撮像装置であって、
装着された前記レンズから、前記レンズの給電先と前記給電先で必要とする電力とが関連付けられた給電先関連情報を受信する受信手段と、
前記受信手段により受信された給電先関連情報を参照して前記レンズの動作状態に応じて必要とする電力を生成し、前記レンズに送電する送電手段と、を有することを特徴とする撮像装置。
【請求項２】
前記レンズの動作状態に応じて前記レンズの給電先を切り替えるための給電先切替指示命令を生成する生成手段と、
前記生成手段により生成された給電先切替指示命令を前記レンズに送信する送信手段と、を有することを特徴とする請求項１に記載の撮像装置。
【請求項３】
前記生成手段により生成された給電先切替指示命令を前記送電手段により送電される電力に応じて変調する変調手段を有し、
前記送電手段は、前記変調手段により変調された給電先切替指示命令を送電することを特徴とする請求項２に記載の撮像装置。
【請求項４】
前記送電手段は、前記撮像装置の低消費電力モードへの移行に応じて、前記給電先関連情報を参照して、前記レンズの給電先としてのバックアップ充電手段によりバックアップ電池部に充電するために必要とする電力を生成し、前記レンズに送電することを特徴とする請求項１ないし３の何れか１項に記載の撮像装置。
【請求項５】
前記給電先関連情報には、前記レンズの給電先としての前記バックアップ充電手段に待機時間が関連付けられ、
前記送電手段は、前記バックアップ充電手段により前記バックアップ電池部への充電が完了されることで送電を停止した後に、前記給電先関連情報において前記バックアップ充電手段に関連付けられた前記待機時間の経過に応じて、前記バックアップ充電手段が前記バックアップ電池部に充電するために必要とする電力を生成し、前記レンズに送電することを特徴とする請求項４に記載の撮像装置。
【請求項６】
前記レンズの給電先は、前記レンズを制御する受電側マイコン制御部、ＡＦ駆動部、手振れ防止駆動部および絞り駆動部の少なくとも何れか一つを含むことを特徴とする請求項１ないし５の何れか１項に記載の撮像装置。
【請求項７】
撮像装置に対して装着可能で、装着された前記撮像装置から非接触により電力が供給される交換式のレンズであって、
給電先と前記給電先で必要とする電力とが関連付けられた情報であって、前記レンズに供給される電力の生成に用いられる給電先関連情報を前記撮像装置に送信する送信手段と、
前記給電先関連情報と前記レンズの動作状態に基づいて前記撮像装置で生成された電力を受電する受電手段と、を有することを特徴とするレンズ。
【請求項８】
前記レンズの動作状態に応じて前記レンズの給電先を切り替えるための給電先切替指示命令を前記撮像装置から受信する受信手段と、
前記受信手段により受信された給電先切替指示命令に基づいて、前記受電手段により受電された電力を供給する給電先を切り替える給電先切替手段を有することを特徴とする請求項７に記載のレンズ。
【請求項９】
充電可能なバックアップ電池部と、
前記レンズの給電先として、前記バックアップ電池部を充電するバックアップ充電手段と、を有し、
前記バックアップ充電手段により前記バックアップ電池部への充電が完了されることで前記受電手段の受電が停止された後に、前記バックアップ電池部による充電された電力によって駆動することを特徴とする請求項７または８に記載のレンズ。
【請求項１０】
前記給電先関連情報には、前記レンズの給電先としての前記バックアップ充電手段に待機時間が関連付けられることを特徴とする請求項９に記載のレンズ。
【請求項１１】
前記レンズの給電先は、前記レンズを制御する受電側マイコン制御部、ＡＦ駆動部、手振れ防止駆動部および絞り駆動部の少なくとも何れか一つを含むことを特徴とする請求項７ないし１０の何れか１項に記載のレンズ。
【請求項１２】
送電装置から受電装置に非接触により電力が供給される電力伝送装置であって、
前記送電装置は、
装着された前記受電装置から、前記受電装置の給電先と前記給電先で必要とする電力とが関連付けられた給電先関連情報を受信する受信手段と、
前記受信手段により受信された給電先関連情報を参照して前記受電装置の動作状態に応じて必要とする電力を生成し、前記受電装置に送電する送電手段と、を有することを特徴とする電力伝送装置。
【請求項１３】
交換式のレンズを装着可能で、装着された前記レンズに非接触により電力を供給する撮像装置の制御方法であって、
装着された前記レンズから、前記レンズの給電先と前記給電先で必要とする電力とが関連付けられた給電先関連情報を受信する受信ステップと、
前記受信ステップにより受信された給電先関連情報を参照して前記レンズの動作状態に応じて必要とする電力を生成する生成ステップと、
生成された電力を前記レンズに送電する送電ステップと、を有することを特徴とする撮像装置の制御方法。
【請求項１４】
撮像装置に対して装着可能で、装着された前記撮像装置から非接触により電力が供給される交換式のレンズの制御方法であって、
給電先と前記給電先で必要とする電力とが関連付けられた情報であって、前記レンズに供給される電力の生成に用いられる給電先関連情報を前記撮像装置に送信する送信ステップと、
前記給電先関連情報と前記レンズの動作状態に基づいて前記撮像装置で生成された電力を受電する受電ステップと、を有することを特徴とするレンズの制御方法。
【請求項１５】
交換式のレンズを装着可能で、装着された前記レンズに非接触により電力を供給する撮像装置を制御するためのプログラムであって、
前記撮像装置のコンピュータに、
装着された前記レンズから、前記レンズの給電先と前記給電先で必要とする電力とが関連付けられた給電先関連情報を受信する受信ステップと、
前記受信ステップにより受信された給電先関連情報を参照して前記レンズの動作状態に応じて必要とする電力を生成する生成ステップと、
生成された電力を前記レンズに送電する送電ステップと、を実行させることを特徴とするプログラム。
【請求項１６】
撮像装置に対して装着可能で、装着された前記撮像装置から非接触により電力が供給される交換式のレンズを制御するためのプログラムであって、
前記レンズのコンピュータに、
給電先と前記給電先で必要とする電力とが関連付けられた情報であって、前記レンズに供給される電力の生成に用いられる給電先関連情報を前記撮像装置に送信する送信ステップと、
前記給電先関連情報と前記レンズの動作状態に基づいて前記撮像装置で生成された電力を受電する受電ステップと、を実行させることを特徴とするプログラム。
【手続補正２】
【補正対象書類名】明細書
【補正対象項目名】発明の名称
【補正方法】変更
【補正の内容】
【発明の名称】撮像装置、レンズ、電力伝送装置、制御方法およびプログラム
【手続補正３】
【補正対象書類名】明細書
【補正対象項目名】０００１
【補正方法】変更
【補正の内容】
【０００１】
本発明は、撮像装置、レンズ、電力伝送装置、制御方法およびプログラムに関する。
【手続補正４】
【補正対象書類名】明細書
【補正対象項目名】０００８
【補正方法】変更
【補正の内容】
【０００８】
本発明の撮像装置は、交換式のレンズを装着可能で、装着された前記レンズに非接触により電力を供給する撮像装置であって、装着された前記レンズから、前記レンズの給電先と前記給電先で必要とする電力とが関連付けられた給電先関連情報を受信する受信手段と、前記受信手段により受信された給電先関連情報を参照して前記レンズの動作状態に応じて必要とする電力を生成し、前記レンズに送電する送電手段と、を有することを特徴とする。